(57)【要約】【課題】  センシングラインに対する耐ノイズ性に優れたＤＣ−ＤＣコンバータの出力制御回路、ＤＣ−ＤＣコンバータおよびその制御方法を提供する。【解決手段】  ＤＣ−ＤＣコンバータは、出力ハーネスを介して負荷に出力電圧を供給し、負荷からセンシングラインを介して出力電圧をフィードバックする。ＤＣ−ＤＣコンバータの出力制御装置は、センシングラインＶｂの電圧を分圧する第１分圧部と、出力端子Ｖｏの電圧を分圧する第２分圧部と、第１分圧部の出力および第２分圧部の出力を比較する第１比較器と、第１分圧部の出力および所定の参照電圧を比較する第２比較器と、第２分圧部の出力が第１分圧部の出力よりも大きく、かつ、第１分圧部の出力が参照電圧よりも大きいことを検出する検出部と、を備え、検出部の結果に応じて、ＤＣ−ＤＣコンバータの出力停止指令を出力する。【選択図】  図２
2008131819.tif 000002
【特許請求の範囲】
【請求項１】
出力ハーネスを介して負荷に出力電圧を供給し、負荷からセンシングラインを介して出力電圧をフィードバックするＤＣ−ＤＣコンバータの出力制御回路において、
前記センシングラインの電圧を分圧する第１分圧部と、
前記出力電圧の供給元の電圧を分圧する第２分圧部と、
前記第１分圧部の出力および前記第２分圧部の出力を比較する第１比較器と、
前記第１分圧部の出力および所定の参照電圧を比較する第２比較器と、
前記第1比較器と前記第２比較器の出力が入力される検出部と、
を備え、
前記検出部は、前記第２分圧部の出力が第１分圧部の出力よりも大きく、かつ、第１分圧部の出力が前記参照電圧よりも大きいことを検出すると、ＤＣ−ＤＣコンバータの出力停止指令を出力する
ことを特徴とするＤＣ−ＤＣコンバータの出力制御回路。
【請求項２】
請求項１に記載のＤＣ−ＤＣコンバータの出力制御回路であって、
前記第１分圧部は、前記センシングラインの端子から順に接続される第１抵抗素子と、第２抵抗素子とを含み、
前記第２分圧部は、前記出力電圧の端子から順に接続される第３抵抗素子と、第４抵抗素子とを含み、
前記第１抵抗素子の抵抗値に対する前記第２抵抗素子の抵抗値の比が、前記第３抵抗素子の抵抗値に対する前記第４抵抗素子の抵抗値比よりも大きい
ことを特徴とするＤＣ−ＤＣコンバータの出力制御回路。
【請求項３】
請求項１に記載のＤＣ−ＤＣコンバータの出力制御回路であって、
前記第１分圧部は、前記センシングラインの端子から順に接続される第１抵抗素子と、第２抵抗素子とを含み、
前記参照電圧は、所定の基準電圧の端子から順に接続される第５抵抗素子と、第６抵抗素子とを含み、
前記第１抵抗素子の抵抗値に対する前記第２抵抗素子の抵抗値の比が、前記第５抵抗素子の抵抗値に対する前記第６抵抗素子の抵抗値の比よりも大きい
ことを特徴とするＤＣ−ＤＣコンバータの出力制御回路。
【請求項４】
出力ハーネスを介して負荷に出力電圧を供給し、負荷からセンシングラインを介して出力電圧をフィードバックするＤＣ−ＤＣコンバータにおいて、
前記センシングラインの電圧を分圧する第１分圧部と、
前記出力電圧の供給元の電圧を分圧する第２分圧部と、
前記第１分圧部の出力および前記第２分圧部の出力を比較する第１比較器と、
前記第１分圧部の出力および所定の参照電圧を第２比較器と、
前記第1比較器と前記第２比較器の出力が入力される検出部と、
を備え、
前記検出部は、前記第２分圧部の出力が第１分圧部の出力よりも大きく、かつ、第１分圧部の出力が前記参照電圧よりも大きいことを検出すると、ＤＣ−ＤＣコンバータの出力停止指令を出力する
ことを特徴とするＤＣ−ＤＣコンバータ。
【請求項５】
請求項４に記載のＤＣ−ＤＣコンバータであって、
前記第１分圧部は、前記センシングラインの端子から順に接続される第１抵抗素子と、第２抵抗素子とを含み、
前記第２分圧部は、前記出力電圧の端子から順に接続される第３抵抗素子と、第４抵抗素子とを含み、
前記第１抵抗素子の抵抗値に対する前記第２抵抗素子の抵抗値の比が、前記第３抵抗素子の抵抗値に対する前記第４抵抗素子の抵抗値比よりも大きい
ことを特徴とするＤＣ−ＤＣコンバータ。
【請求項６】
請求項４に記載のＤＣ−ＤＣコンバータであって、
前記第１分圧部は、前記センシングラインの端子から順に接続される第１抵抗素子と、第２抵抗素子とを含み、
前記参照電圧は、所定の基準電圧の端子から順に接続される第５抵抗素子と、第６抵抗素子とを含み、
前記第１抵抗素子の抵抗値に対する前記第２抵抗素子の抵抗値の比が、前記第５抵抗素子の抵抗値に対する前記第６抵抗素子の抵抗値の比よりも大きい
ことを特徴とするＤＣ−ＤＣコンバータ。
【請求項７】
出力ハーネスを介して負荷に出力電圧を供給し、負荷からセンシングラインを介して出力電圧をフィードバックするＤＣ−ＤＣコンバータの制御方法において、
前記出力電圧の供給元の電圧および前記センシングラインの電圧を比較するステップと、
前記センシングラインおよび電圧および参照電圧を比較するステップと、
前記出力電圧の供給元の電圧および前記センシングラインの電圧を比較するステップの結果、前記出力電圧の供給元の電圧が前記センシングラインの電圧よりも大きく、かつ、前記センシングラインおよび電圧および参照電圧を比較するステップの結果、前記センシングラインの電圧が参照電圧よりも大きいことに応じて、前記ＤＣ−ＤＣコンバータを停止するステップと、
を備えることを特徴とするＤＣ−ＤＣコンバータの制御方法。
【発明の詳細な説明】
【技術分野】
【０００１】
本発明は、ＤＣ−ＤＣコンバータの出力制御回路、ＤＣ−ＤＣコンバータおよびその制御方法に関するものであり、特に、センシングラインに対する耐ノイズ性に優れたＤＣ−ＤＣコンバータの出力制御回路、ＤＣ−ＤＣコンバータおよびその制御方法に関するものである。
【背景技術】
【０００２】
ＤＣ−ＤＣコンバータなどの電力変換器では、自身の出力電圧を制御回路にフィードバックして定電圧制御を行っている。電力変換器出力から負荷までの出力ハーネスが長い場合、その間で電圧ドロップが生じてしまい負荷に必要な出力が得られない場合がある。これを回避するために、負荷側の出力電圧を監視するセンシングラインを設け、このセンシングラインからフィードバックした電圧にて制御をすれば、前述の電圧ドロップを加味した出力を得ることができる。
【０００３】
しかしながら、センシングラインを用いて出力電圧を制御している間に、何らかの原因で出力ハーネスが端子外れや断線状態に陥ると、センシングラインと出力ハーネスとは別系統の配線であり、出力ハーネスからの電圧が伝達されないため、センシングラインの電圧が上昇せず、出力電圧が上昇し続けるという異常動作が生じ、出力変換器は最大ＤＵＴＹで動作することとなり、場合によっては出力変換器が破壊に至るおそれが生じる。
【０００４】
このような課題を解決するために特許文献１に開示されている技術が知られている。図４に示される特許文献１の回路において、正常状態では第１分圧回路１７５の出力Ｖ１７５ａは第２分圧回路１７６の出力Ｖ１７６ａより大でトランジスタ１１７１が導通となる。選択回路１７９は電圧１７５ａを選択し比較器１８０に供給する。比較器１８０は基準電圧と電圧１７５ａとを比較し出力信号をトランジスタ１７１に供給し、端子Ｓの電圧が設定電圧１になるよう制御される。電圧検出端又は出力端に端子外れ等が発生すると比較器１７８において、Ｖ１７５ａ＜Ｖ１７６ａとなり出力１７８ｘは“Ｌ”レベル、トランジスタ１１７１は非導通となり、選択回路１７９から信号１７６ａが出力され、出力端子Ｂの電圧が設定電圧２になるよう動作する。比較器１７８の出力１７８ｘが一定時間以上“Ｌ”レベルとなりディレー回路１８２はトランジスタ１７３を導通とし表示灯１０６が点灯される。
【０００５】
また、同様の課題を解決するための技術として特許文献２〜特許文献７に開示されているものがある。
【特許文献１】特開平６−２７６６９１
【特許文献２】特開平１−０４３０３６
【特許文献３】特開昭６０−０２２４２９
【特許文献４】特開平７−１０７６０１
【特許文献５】特開２００５−０４５９４５
【特許文献６】特開昭６３−０９２２３３
【特許文献７】特開平１１−１２２９２２
【発明の開示】
【発明が解決しようとする課題】
【０００６】
特許文献１の従来技術を用いて、表示灯１０６を点灯する代わりに出力変換器の動作を制止するようにすれば、出力変換器の破壊を防止するようにすることはできる。
しかしながら、特許文献１の従来技術では、電圧検出端にノイズ等の影響を受けて、電圧検出端の電圧が異常に下がると、比較器１７８において、Ｖ１７５ａ＜Ｖ１７６ａとなり、出力端の端子外れ等がないにもかかわらず、誤検知することとなり問題である。
【０００７】
本発明は、前記背景技術の問題点に鑑みなされたものであり、センシングラインに対する耐ノイズ性に優れたＤＣ−ＤＣコンバータの出力制御回路、ＤＣ−ＤＣコンバータおよびその制御方法を提供することを目的とする。
【課題を解決するための手段】
【０００８】
その解決手段は、出力ハーネスを介して負荷に出力電圧を供給し、負荷からセンシングラインを介して出力電圧をフィードバックするＤＣ−ＤＣコンバータの出力制御回路において、前記センシングラインの電圧を分圧する第１分圧部と、前記出力電圧の供給元の電圧を分圧する第２分圧部と、前記第１分圧部の出力および前記第２分圧部の出力を比較する第１比較器と、前記第１分圧部の出力および所定の参照電圧を比較する第２比較器と、前記第1比較器と前記第２比較器の出力が入力される検出部と、を備え、前記検出部は、前記第２分圧部の出力が第１分圧部の出力よりも大きく、かつ、第１分圧部の出力が前記参照電圧よりも大きいことを検出すると、ＤＣ−ＤＣコンバータの出力停止指令を出力することを特徴とするＤＣ−ＤＣコンバータの出力制御回路である。
【０００９】
また、出力ハーネスを介して負荷に出力電圧を供給し、負荷からセンシングラインを介して出力電圧をフィードバックするＤＣ−ＤＣコンバータにおいて、前記センシングラインの電圧を分圧する第１分圧部と、前記出力電圧の供給元の電圧を分圧する第２分圧部と、前記第１分圧部の出力および前記第２分圧部の出力を比較する第１比較器と、前記第１分圧部の出力および所定の参照電圧を第２比較器と、前記第1比較器と前記第２比較器の出力が入力される検出部と、を備え、前記検出部は、前記第２分圧部の出力が第１分圧部の出力よりも大きく、かつ、第１分圧部の出力が前記参照電圧よりも大きいことを検出すると、ＤＣ−ＤＣコンバータの出力停止指令を出力することを特徴とするＤＣ−ＤＣコンバータとするとよい。
【００１０】
さらに、出力ハーネスを介して負荷に出力電圧を供給し、負荷からセンシングラインを介して出力電圧をフィードバックするＤＣ−ＤＣコンバータの制御方法において、前記出力電圧の供給元の電圧および前記センシングラインの電圧を比較するステップと、前記センシングラインおよび電圧および参照電圧を比較するステップと、前記出力電圧の供給元の電圧および前記センシングラインの電圧を比較するステップの結果、前記出力電圧の供給元の電圧が前記センシングラインの電圧よりも大きく、かつ、前記センシングラインおよび電圧および参照電圧を比較するステップの結果、前記センシングラインの電圧が参照電圧よりも大きいことに応じて、前記ＤＣ−ＤＣコンバータを停止するステップと、を備えることを特徴とするＤＣ−ＤＣコンバータの制御方法とするとよい。
【００１１】
本発明のＤＣ−ＤＣコンバータの出力制御回路、ＤＣ−ＤＣコンバータおよびその制御方法では、センシングラインの電圧に応じた出力と、出力電圧の供給元に応じた出力とが比較される第１比較部を備え、出力ハーネスまたはセンシングライン外れや断線を監視している。それに加え、センシングラインの電圧に応じた出力と、所定の参照電圧に応じた出力とが比較される第２比較部を備え、センシングラインが正常な電圧か否かを監視している。出力ハーネスに外れや断線があり、かつ、センシングラインが正常な電圧の場合にのみ異常が検知され、その結果に応じて、ＤＣ−ＤＣコンバータの動作停止指令を発することができる。このため、センシングラインがノイズの影響を受け、一時的に異常に低い電圧値となり、第１比較部が誤動作したとしても、第２比較部がセンシングラインの異常電圧を検出することで、ＤＣ−ＤＣコンバータの出力停止指令の出力が抑制される。これにより、センシングラインに対する耐ノイズ性に優れたＤＣ−ＤＣコンバータの出力制御回路、ＤＣ−ＤＣコンバータおよびその制御方法となし得る。
【００１２】
また、他の解決手段は、請求項１に記載のＤＣ−ＤＣコンバータの出力制御回路であって、前記第１分圧部は、前記センシングラインの端子から順に接続される第１抵抗素子と、第２抵抗素子とを含み、前記第２分圧部は、前記出力電圧の端子から順に接続される第３抵抗素子と、第４抵抗素子とを含み、前記第１抵抗素子の抵抗値に対する前記第２抵抗素子の抵抗値の比が、前記第３抵抗素子の抵抗値に対する前記第４抵抗素子の抵抗値比よりも大きいことを特徴とするＤＣ−ＤＣコンバータの出力制御回路である。
【００１３】
また、請求項４に記載のＤＣ−ＤＣコンバータであって、前記第１分圧部は、前記センシングラインの端子から順に接続される第１抵抗素子と、第２抵抗素子とを含み、前記第２分圧部は、前記出力電圧の端子から順に接続される第３抵抗素子と、第４抵抗素子とを含み、前記第１抵抗素子の抵抗値に対する前記第２抵抗素子の抵抗値の比が、前記第３抵抗素子の抵抗値に対する前記第４抵抗素子の抵抗値比よりも大きいことを特徴とするＤＣ−ＤＣコンバータとするとよい。
【００１４】
本発明のＤＣ−ＤＣコンバータの出力制御回路およびＤＣ−ＤＣコンバータでは、センシングラインの端子からの分圧比（第１抵抗素子の抵抗値に対する第２抵抗素子の抵抗値の比）が、出力電圧の供給元の端子からの分圧比（第３抵抗素子の抵抗値に対する第４抵抗素子の抵抗値の比）よりも大きくされている。これにより、通常時に、センシングラインの端子の電圧と出力電圧の供給元の端子の電圧が略等しい場合でも、第１比較器に入力される電圧において、出力電圧の供給元の端子からの電圧を、センシングラインからの端子の電圧よりも高電圧にすることができ、第１比較器の誤動作を防止することができる。
【００１５】
さらに、他の解決手段は請求項１に記載のＤＣ−ＤＣコンバータの出力制御回路であって、前記第１分圧部は、前記センシングラインの端子から順に接続される第１抵抗素子と、第２抵抗素子とを含み、前記参照電圧は、所定の基準電圧の端子から順に接続される第５抵抗素子と、第６抵抗素子とを含み、前記第１抵抗素子の抵抗値に対する前記第２抵抗素子の抵抗値の比が、前記第５抵抗素子の抵抗値に対する前記第６抵抗素子の抵抗値の比よりも大きいことを特徴とするＤＣ−ＤＣコンバータの出力制御回路である。
【００１６】
また、請求項４に記載のＤＣ−ＤＣコンバータであって、前記第１分圧部は、前記センシングラインの端子から順に接続される第１抵抗素子と、第２抵抗素子とを含み、前記参照電圧は、所定の基準電圧の端子から順に接続される第５抵抗素子と、第６抵抗素子とを含み、前記第１抵抗素子の抵抗値に対する前記第２抵抗素子の抵抗値の比が、前記第５抵抗素子の抵抗値に対する前記第６抵抗素子の抵抗値の比よりも大きいことを特徴とするＤＣ−ＤＣコンバータとするとよい。
【００１７】
本発明のＤＣ−ＤＣコンバータの出力制御装置およびＤＣ−ＤＣコンバータでは、センシングラインの端子からの分圧比（第１抵抗素子の抵抗値に対する第２抵抗素子の抵抗値の比）が、参照電圧の端子からの分圧比（第５抵抗素子の抵抗値に対する第６抵抗素子の抵抗値の比）よりも大きくされている。これにより、センシングラインの分圧後の電圧を、所定の基準電圧の分圧後の電圧よりも大きくすることができ、センシングラインの電圧が異常に下がったときに、第２比較器が反転出力されて、その異常を検出することができる。
【発明の効果】
【００１８】
本発明により、センシングラインに対する耐ノイズ性に優れたＤＣ−ＤＣコンバータの出力制御回路、ＤＣ−ＤＣコンバータおよびその制御方法を提供することができる。
【発明を実施するための最良の形態】
【００１９】
以下、本発明を具体化した実施形態のＤＣ−ＤＣコンバータ１を図１〜図３を参照しつつ詳細に説明する。
【００２０】
図１は、ＤＣ−ＤＣコンバータ１の構成を示す機能ブロック図である。ＤＣ−ＤＣコンバータ１は、入力電源４を降圧して、出力負荷５に電力を供給する電力変換部２と、出力端子Ｖｏの供給元とセンシングラインＶｂを入力とし、出力停止信号ＳＴＯＰを出力する出力制御回路３とを備えている。また、ここでは、出力負荷５としてバッテリーを想定しているが、モータや抵抗器であってもよい。
【００２１】
電力変換部２では、出力端子Ｖｏから出力負荷５までの出力ハーネスが長くされているため、その間で電圧ドロップが生じてしまい負荷に必要な出力が得られない場合が生じる。これを回避するために、出力負荷５の出力電圧を監視するセンシングラインＶｂが設けられている。センシングラインＶｂに入力された電圧は公知のフィードバック制御がなされ、電力変換部２では、前述の電圧ドロップを加味した出力を得ることができる。
【００２２】
ところで、出力端子Ｖｏの出力ハーネス外れや断線が発生すると、センシングラインと出力ハーネスとは別系統の配線になっているため、出力ハーネスからの電圧が伝達されない。これにより、センシングラインの電圧が上昇せず、出力電圧を上昇させるために電力変換部２は最大ＤＵＴＹで動作することとなり、場合によっては電力変換部２が破壊に至るおそれが生じる。出力制御回路３では、出力端子Ｖｏの出力ハーネス外れや断線が監視され、このような事態に陥った際に、電力変換部２に対して出力停止信号ＳＴＯＰを出力し、電力変換部２の動作が強制的に停止させられ、出力端子Ｖｏからの出力が停止される。また、電力変換部２では、一旦、出力停止信号ＳＴＯＰが入力されると、その状態が保持され、出力停止信号ＳＴＯＰが解除された後も、停止状態が維持されるようになっている。
【００２３】
図２は、出力制御回路３の構成を示す回路図である。出力制御回路３は、分圧点出力電圧Ａを出力し、センシングラインＶｂから順に接続される第１抵抗素子Ｒ１および第２抵抗素子Ｒ２と、分圧点出力電圧Ｂを出力し、出力端子Ｖｏの供給端子から順に接続される第３抵抗素子Ｒ３および第４抵抗素子Ｒ４と、分圧点出力電圧Ｃを出力し、所定の基準電圧Ｖｒｅｆから順に接続される第５抵抗素子Ｒ５および第６抵抗素子Ｒ６とを備えている。
【００２４】
またさらに、出力制御回路３は、分圧点出力電圧Ａが反転入力に、分圧点出力電圧Ｂが非反転入力に接続された第１比較器ＣＭＰ１と、分圧点出力電圧Ａが非反転入力に、分圧点出力電圧Ｃが反転入力に接続された第２比較器ＣＭＰ２と、第１比較器ＣＭＰ１の出力および第２比較器ＣＭＰ２の出力を入力とし、出力停止信号ＳＴＯＰを出力するアンドゲートＡＮＤとを備えている。
【００２５】
出力制御回路３では、第１抵抗素子Ｒ１の抵抗値に対する第２抵抗素子Ｒ２の抵抗値の比が、第３抵抗素子Ｒ３の抵抗値に対する第４抵抗素子Ｒ４の抵抗値の比よりも大きくされている。従って、通常時（出力ハーネスの外れや断線またはセンシングラインＶｂの異常電圧がない状態を示す。以降同様である。）において、分圧点出力電圧Ａは、分圧点出力電圧Ｂよりも高電圧となる。これにより、センシングラインＶｂの電圧と出力端子Ｖｏの電圧が略等しい場合でも、第１比較器ＣＭＰ１の出力（アンドゲートＡＮＤのＡ１入力）は“Ｌ”レベルとなる。
【００２６】
出力制御回路３では、第１抵抗素子Ｒ１の抵抗値に対する第２抵抗素子Ｒ２の抵抗値の比が、第５抵抗素子Ｒ５の抵抗値に対する第６抵抗素子Ｒ６の抵抗値の比よりも大きくされている。従って、通常時において、分圧点出力電圧Ａは、分圧点出力電圧Ｃよりも高電圧となる。これにより、第２比較器ＣＭＰ２の出力（アンドゲートＡＮＤのＡ２入力）は“Ｈ”レベルとなる。
【００２７】
アンドゲートＡＮＤでは、通常時、Ａ１入力は“Ｌ”レベル、Ａ２入力は“Ｈ”レベルであるためその出力（出力停止信号ＳＴＯＰ）は“Ｌ”レベルとなる。
【００２８】
次いで、出力制御回路３の動作について、図３を参照して詳細に説明する。図３には、第１比較器ＣＭＰ１の入力波形、第１比較器ＣＭＰ１の出力波形（アンドゲートＡＮＤのＡ１入力波形）、第２比較器ＣＭＰ２の入力波形、第２比較器ＣＭＰ２の出力波形（アンドゲートＡＮＤのＡ２入力波形）およびアンドゲートＡＮＤの出力波形（出力停止信号ＳＴＯＰ）が示されている。
このうち、（１）〜（４）は、センシングラインＶｂにノイズが乗った場合を示し、（５）〜（７）は、出力端子Ｖｏからの出力ハーネスが外れたり断線したりした場合を示している。
【００２９】
（１）において、センシングラインＶｂに、例えば、接地電位レベルに電圧が下がるようなノイズが乗った場合、分圧点出力電圧Ａが分圧点出力電圧Ｂよりも低電圧となり、第１比較器ＣＭＰ１の出力は反転して、“Ｌ”レベルから“Ｈ”レベルに遷移する。
【００３０】
（２）においても、センシングラインＶｂが接地電位レベルに電圧が下がり、分圧点出力電圧Ａが分圧点出力電圧Ｃよりも低電圧となり、第２比較器ＣＭＰ２の出力は反転して、“Ｈ”レベルから“Ｌ”レベルに遷移する。
このとき、アンドゲートＡＮＤでは、Ａ１入力が“Ｈ”レベル、Ａ２入力が“Ｌ”レベルであるため、その出力である出力停止信号ＳＴＯＰは“Ｌ”レベルが維持される。
【００３１】
（３）において、センシングラインＶｂが通常のレベルに復帰した場合、分圧点出力電圧Ａは、再び分圧点出力電圧Ｂよりも高電圧となり、第１比較器ＣＭＰ１の出力は反転して“Ｈ”レベルから“Ｌ”レベルに遷移する。
【００３２】
（４）においても、センシングラインＶｂが通常のレベルに復帰し、分圧点出力電圧Ａは分圧点出力電圧Ｃよりも高電圧となり、第２比較器ＣＭＰ２の出力は反転して“Ｌ”レベルから“Ｈ”レベルに遷移する。
このとき、アンドゲートＡＮＤでは、Ａ１入力が“Ｌ”レベル、Ａ２入力が“Ｈ”レベルであるため、その出力である出力停止信号ＳＴＯＰは“Ｌ”レベルが維持される。
【００３３】
上記（１）〜（４）の動作から判るとおり、出力制御回路３では、センシングラインＶｂにノイズが乗ったとしても、第１比較器ＣＭＰ１および第２比較器ＣＭＰ２が互いに反転し合って出力停止信号ＳＴＯＰを“Ｌ”レベルに維持され、出力停止信号ＳＴＯＰの誤検出がされないため、センシングラインＶｂに対する耐ノイズ性に優れたものとすることができる。
【００３４】
次いで、（５）において、出力端子Ｖｏからの出力ハーネス外れまたは断線が生じると、出力負荷５に出力端子Ｖｏからの出力が伝達されず、センシングラインＶｂにも出力端子Ｖｏの出力が伝達されないため、センシングラインＶｂの電圧が徐々に降下する。電力変換部２は、出力端子Ｖｏへの電圧を上昇させるため最大ＤＵＴＹで制御され、出力端子Ｖｏは急峻に電圧が上昇し続ける。これにより、第１比較器ＣＭＰ１の出力が反転して“Ｌ”レベルから“Ｈ”レベルに遷移する。
【００３５】
出力端子Ｖｏの急峻な上昇に対して、センシングラインＶｂは、電力変換部２における電圧制御のための不図示のエラーアンプへの分圧抵抗の抵抗値が大きく、リーク電流も小さく、制御回路内での消費電流も小さいため電圧の下降は緩やかとなる。また、分圧点出力電圧ＣはセンシングラインＶｂの電圧の下降に対して余裕を持たせて設定してあるため、第２比較器ＣＭＰ２において、分圧点出力電圧Ａが分圧点出力電圧Ｃを下回ることはない。これにより、第２比較器ＣＭＰ２の出力は“Ｈ”レベルが維持される。
【００３６】
（６）において、第１比較器ＣＭＰ１の出力が“Ｈ”レベルであり、第２比較器ＣＭＰ２の出力も“Ｈ”レベルであるため、アンドゲートＡＮＤの出力、すなわち出力停止信号ＳＴＯＰの出力レベルは“Ｈ”レベルとなる。
【００３７】
（７）において、出力停止信号ＳＴＯＰの“Ｈ”レベルへの遷移により、電力変換部２は、不図示の制御回路を停止させ、本来、破線で示すように出力端子Ｖｏからの出力が上昇し続けるところ、出力端子Ｖｏからの出力を停止することにより、電力変換部２の破壊を防止することができる。
なお、出力端子Ｖｏの出力が停止されるに伴い、出力停止信号ＳＴＯＰも“Ｌ”レベルに戻るが、電力変換部２の内部に出力停止信号ＳＴＯＰの状態が保持され、電力変換部２の出力制御の停止状態が維持されている。
【００３８】
以上、説明したとおり、本実施形態にかかるＤＣ−ＤＣコンバータ１および出力制御回路３では、出力端子Ｖｏからの出力ハーネスに外れや断線があり、かつ、センシングラインＶｂが正常な電圧の場合にのみ異常が検知され、その結果に応じて、電力変換部２の出力停止信号ＳＴＯＰが出力される。また、センシングラインＶｂがノイズ等の影響を受け、一時的に異常に低い電圧値となり、第１比較器ＣＭＰ１が誤動作したとしても、第２比較器ＣＭＰ２がセンシングラインＶｂの異常電圧を検出して、電力変換部２に対する出力停止信号ＳＴＯＰの出力が抑制されるため、センシングラインＶｂに対する耐ノイズ性に優れたＤＣ−ＤＣコンバータ１および出力制御回路３とすることができる。
【００３９】
なお、本発明は前記実施形態に限定されるものではなく、本発明の趣旨を逸脱しない範囲内で種々の改良、変形が可能であることは言うまでもない。
例えば、本実施形態では、アンドゲートＡＮＤにおいて正論理動作をする場合について説明したが、本発明はこれに限定されるものでなく、第１比較器ＣＭＰ１において、Ａ点が非反転端子に入力され、Ｂ点が反転端子に入力される構成とし、第２比較器ＣＭＰ２において、Ａ点が反転端子に入力され、Ｃ点が非反転端子に入力される構成とし、アンドゲートＡＮＤに代わり、負論理積動作をするＮＯＲ論理であるノアゲートで構成したものにも同様に適用することができる。
また、本実施形態では、第１比較器ＣＭＰ１と第２比較器ＣＭＰ２共に第１抵抗素子Ｒ１、第２抵抗素子Ｒ２の分圧が入力されるようにＡ点に接続されたが、第１抵抗素子Ｒ１、第２抵抗素子Ｒ２とは別にセンシングラインＶｂを分圧するように分圧部を設け、その分圧が第１比較器ＣＭＰ１または第２比較器ＣＭＰ２の一方に、Ａ点に代えて入力するようにしても良い。
【００４０】
なお、出力端子Ｖｏは出力電圧の供給元の一例、第１抵抗素子Ｒ１および第２抵抗素子Ｒ２は第１分圧部の一例、第３抵抗素子Ｒ３および第４抵抗素子Ｒ４は第２分圧部の一例である。
【図面の簡単な説明】
【００４１】
【図１】本実施形態にかかるＤＣ−ＤＣコンバータの構成を示す機能ブロック図である。
【図２】出力制御回路の構成の一例を示す回路図である。
【図３】出力制御回路の動作を示すタイミングチャートである。
【図４】従来技術の車両用充電発電機を示す回路図である。
【符号の説明】
【００４２】
１  ＤＣ−ＤＣコンバータ
２  電力変換部
３  出力制御回路
ＡＮＤ  アンドゲート
ＣＭＰ１  第１比較器
ＣＭＰ２  第２比較器
Ｒ１  第１抵抗素子
Ｒ２  第２抵抗素子
Ｒ３  第３抵抗素子
Ｒ４  第４抵抗素子
Ｒ５  第５抵抗素子
Ｒ６  第６抵抗素子
ＳＴＯＰ  出力停止信号
Ｖｂ  センシングライン
Ｖｏ  出力端子
Ｖｒｅｆ  基準電圧
【図１】
2008131819.tif 000003
【図２】
2008131819.tif 000004
【図３】
2008131819.tif 000005
【図４】
2008131819.tif 000006